(57)【特許請求の範囲】
【請求項１】
下端にランマー７を有し且つ上下の途中に掛止フランシジ８を形成したランマー支持杆６と、該ランマー支持杆６を昇降自由に緩嵌保持する円盤状支持板１２と、該円盤状支持板１２の片方寄り位置下部に搖動自由に一端を同軸上に枢設した一対の掛止アーム１６、２０と、該掛止アーム１６、２０の枢設部とランマー支持杆６との間にあって二本の該掛止アーム１６、２０の対向部に枢設した偏心軸２５を有する操作軸２３とからなり、前記二本の掛止アーム１６、２０の他端部を円盤状支持板１２の下部に設置したガイド部材１３、１４との間に夫々弾介したバネ１８、２２により両掛止アーム１６、２０を相接近するように弾圧し、偏心軸２５上に枢支したローラー２４を前記二本の掛止アーム１６、２０に外接させ、操作軸２３上のハンドル３０を一定角度回動することにより掛止アーム１６、２０を拡開し、両掛止アーム１６、２０とフランジ８とのロック状態を解除しランマー支持杆を落下すようにしたことを特徴とする地盤の支持力測定器。
【請求項２】
二本の掛止アーム１６、２０の軸２８上にキックバネを装着して互い両掛止アーム１６、２０を接近方向へ弾圧させることを特徴とする請求項１記載の地盤の支持力測定器。
【発明の詳細な説明】
【０００１】
【発明の属する技術分野】
本発明は造成地や路床その他の地盤の締め固め状態を現場で直接測定する簡便な可搬式の地盤支持力測定器に関する。
【０００２】
【従来の技術】
従来の地盤支持力測定器は下端に着床板を装着した円筒状のハンマーガイド内にハンマー（ランマー）を落下自由に挿入し、該ハンマーには所定高さからの落下衝撃を検出する為のインパクトセンサーを内蔵させ、これを所定高さまで引き上げるのに必要な杆体を取着しており、該杆体を一定高さで手放すことによりハンマーを落下するようにしたものがある。（例えば実公平７−２９４７６号公報参照）
【０００３】
また、三脚によって支持された枠体中央部には下端にランマーを取着した杆体を保持しており、該枠体の上端には杆体を引き上げた状態で保持できる一対のストッパーハンドルを装着し、該ストッパーハンドルの操作により杆体上のストッパーを解除しランマーを落下するようにしたものもある。（例えば実願平７−１２４００号明細書参照）
【０００４】
【発明が解決しようとする課題】
しかし乍ら上記従来例のうち前者はハンマーに取り付けた杆体を一定の高さまで引き上げ、この状態で杆体を手放すものである。従って杆体の釈放動作が直接手指の開放によって行われるので、釈放時の瞬間動作が極めて不安定であり落下開始から着地時までの数値化が困難なこと、ストッパーが無いため上限位置が不確定であり、落下衝撃値に微妙に影響を及ぼす等の欠点があった。
【０００５】
また、後者従来例ではランマーの杆体上に設けたストッパーを一対のストッパーレバーの操作によって解除し、ランマーを自然落下するようにしている。しかもこの例ではストッパーとストッパーレバーの関係が構成上不明瞭であるが、一対のストッパーレバーを設けていることを考慮すると、その操作は両方の手を使って行われるものと思われ、従って操作性の点で良好とは言えない。
【０００６】
本発明はこうした上記従来例の決点を除去し、数値化の容易な然も操作性の良好な機能を備えた地盤支持力測定器の提供を図る。
【０００７】
【課題を解決するための手段】
適宜支持される枠体中央部にランマーを取着したランマー支持杆を落下自由に保持し、該枠体の上部には引き上げ状態で保持したランマー支持杆を一本のレバー操作で解除できる掛止手段を設けると共に、レバー操作と同時に地盤の支持力測定を開始する演算処理装置を連携させてなる。
【０００８】
【発明の実施の形態】
（【実施例】）
以下本願発明について図例により詳細に説明する。先ず本発明の最も要旨とするところは、衝撃加速度センサーを内蔵したランマーを上昇位置で保持し、また一本のレバー操作によって一挙に釈放できる構成とした点である。
【０００９】
本測定器の全体構成の概要は、図１に示す通り三脚を有する枠体４（一部従来例同様）により支持されるランマー７と、該ランマー７を上昇位置で保持或いは釈放するようにした保持操作機構１１（本発明の要部）からなる。
【００１０】
枠体４は三脚５の上端で支持された保持操作機構１１の基盤３と下位の部材２との間を複数の杆材１、１・・にて連結して構成し、前記基盤３の中央及び該下位の部材２をランマー７とランマー支持杆６にて貫通し、ランマー支持杆６の下端部には前記杆材１、１・・に内接する落下ガイド板９を付設しており、ランマーが上方から自然落下するとき下位部材２の中央開口をスムーズに通過出来るようにしている。
【００１１】
一方、前記基盤３の上部には複数本の支柱を介してランマー支持杆６の保持操作機構１１（図２、３参照）を設置しており、該保持操作機構１１の上端に設けた円盤状支持板１２にはランマー支持杆６の上部を挿通保持する案内部材２９を螺着し、ランマー支持杆６の落下がスムーズに行えるようにしている。
【００１２】
また、案内部材２９の片方寄りには、円盤状支持板１２を貫通して一本の操作軸２３を嵌挿し、その上端に操作レバー３０を嵌着すると共に、該軸２３の下部周面の一部を平面状に欠除して切欠面２３′を形成し、更に軸２３の下端面に突設した偏心軸２５上に二個のローラー２４を重ねて枢設する。
【００１３】
更に、支持板１２の下面に前記操作軸２３の切欠面２３′と対応するようにマイクロスイッチ２７を取着したスイッチ座金２６を定着し、マイクロスイッチ２７の押動片２７′（図５参照）が常時該切欠面２３′（図６参照）を含む軸２３の周面と外接するようにしている。
【００１４】
支持板１２の下面に二本の掛止アーム１６、２０の一端を重ねて軸２８により搖動自由に枢着して両アーム１６、２０の間に前記ローラー２４が位置するようにし、更に該掛止アーム１６、２０の他端部は前記支持板１２の下面に取着した上位ガイド部材１３と、左右のスペーサー１５、１９を介して該部材１３の下方に取着した下位ガイド部材１４との間で介在保持し、各スペーサー１５、１９と両掛止アーム１６、２０の対向部に押しバネ１８、２２を夫々介在する。
【００１５】
前記両掛止アーム１６、２０にはランマー支持杆６と相対する部分に該支持杆６と同心円状の切欠１７、２１を形成することによって掛止アーム１６、２０が小さい動作角度でランマー支持杆６上に定着した掛止フランジ８と掛脱可能にすると共に、該掛止フランジ８の下縁に沿って広く受載できるようにしている。
【００１６】
尚、上記構成においてマイクロスイッチ２７及びランマー７内の衝撃加速度センサーはリード線（ケーブル線）等によって測定器本体外に用意された演算処理装置やレコーダー（プリンター）と接続されている。
【００１７】
次に一連の動作にいて述べると、本測定器を作業現場に持ち込み、測定しようとする地面に水準器（レベル）を見ながら測定器を安定立設する。この時点で掛止アーム１６、２０及び操作レバー３０は図４の姿勢をとり、次にランマー７をランマー支持杆６の頂部に設置したハンドル１０を持って所定高さ（４５ｃｍ）まで引き上げる。
【００１８】
この時該ランマー支持杆６上の掛止フランジ８はその上面に形成したテーパ部によって相対する二つの掛止アーム１６、２０の切欠１７、２１部分を点線状（図５）に左右へ押し開き乍ら上側へ通過し、次の瞬間、該掛止アーム１６、２０は押しバネ１８、２２（又はキックバネその他）の弾力によって再び相接近方向へ押し戻され掛止フランジ８を掛止する。
【００１９】
従って、掛止フランジ８が掛止アーム１６、２０の間を通過する際、操作レバー３０に全く関係なく両掛止アームのみが軸２８を中心に拡開及び閉合し、また、マイクロスイッチ２７もこの時点では何等動作しないものとする。
【００２０】
上記のようにランマー７は掛止フランジ８によって所定高さで保持され、測定開始時に操作レバー３０を実線矢印方向（図４）へ９０度回動することにより、操作軸２３上の偏心軸２５が偏心回動し、これに伴って二個のローラー２４も共に移動し、このうち最初に下位ローラーが前記掛止アーム２０を押動し、更に該軸２５の偏心回動により上位のローラーも掛止アーム１６を押動するようになり、両掛止アーム１６、２０が図５の点線で示すように開き掛止フランジ８の掛止状態を解除する。
【００２１】
その結果、ランマー７はランマー支持杆６と共に落下を開始し、同時に操作軸２３の回動によりこれまで切欠面２３′と接触していたマイクロスイッチ２７の押動片２７′が操作軸２３の円周上に乗り上げスイッチを押動して測定開始の信号を発生させる。
【００２２】
また、落下したランマー７は地盤と衝突した際に生じる衝撃加速度の大小を内蔵した加速度センサーによって計測し、演算処理装置を駆使して様々な数値解析をしたり、或いは記憶や、プリンターにて印字する等種々のモードに応じた処理を容易に行うことができる。
【００２３】
ランマー支持杆６上の落下ガイド板９が常に杆材１、１・・と緩やかに内接しているのでランマーが落下する場合、下位部材２と衝突することなく円滑、確実に該部材２の中央開口を通過する。
【００２４】
以上のように本発明はランマー支持杆を所定の高さまで引き上げると掛止フランジ８はテーパ部で掛止アーム１６、２０を左右に押し開いて上側へ通過後、掛止保持され、また、一本の操作レバー３０を所定の方向へ回動することで偏心軸上にある二個のローラー２４の移動により掛止レバー１６、２０を開き、一挙にランマー支持杆６の拘束を解いて落下させ、同時にスイッチを押動して動作開始信号を出力するようにしている。
【００２５】
【発明の効果】
本発明は一本の操作レバーの回動で二本の掛止アームを一挙に開き、ランマー支持杆の拘束を解いてランマーを落下するようにしたので操作性が良好なだけでなく構成が至って簡単である。
【００２６】
また、ランマー支持杆を所定高さまで引き上げるだけで該ランマー支持杆を自動的に掛止保持するので手数が全くかからない。
【００２７】
従来例のように二本のストッパーを外部に持たず外観が極めて優れている。
【図面の簡単な説明】
【図１】本発明測定器の外観正面図
【図２】同上測定器の要部拡大切欠正面図
【図３】同上測定器の要部拡大切欠右面図
【図４】図２のＡ−Ａ拡大平面図
【図５】本発明測定器の要部拡大平面図
【図６】本発明測定器の要部拡大斜視図
【符号の説明】
６  ランマー支持杆
７  ランマー
８  掛止フランジ
１６、２０  掛止アーム
２３  操作軸
２３′  切欠面
２４  ローラー
２５  偏心軸
２７  マイクロスイッチ
２７′  押動片
２８  軸
３０  操作レバー
【図１】
0004491674.tif 000002
【図２】
0004491674.tif 000003
【図３】
0004491674.tif 000004
【図４】
0004491674.tif 000005
【図５】
0004491674.tif 000006
【図６】
0004491674.tif 000007